(57)【要約】  ＰｏＥ技術で電力が供給される複数のモジュールにおける電力エラー表示を良好に行う。【解決手段】ＰｏＥで電力供給を受けるネットワークインタフェースを持つコンピュータを内蔵する複数のモジュールを備える。複数のモジュールはネットワーク接続されている。ネットワークから要求した電力の供給ができない旨の応答を受信した第１のモジュールは、異常表示のための処理をする。例えば、第１のモジュールは、ネットワークを介して第２のモジュールに異常を通知し、第２のモジュールは、異常の通知を受けたとき、異常の表示を制御する。
2017217284.tif 000002
【特許請求の範囲】
【請求項１】
ＰｏＥで電力供給を受けるネットワークインタフェースを持つコンピュータを内蔵する複数のモジュールを備え、
上記複数のモジュールはネットワーク接続されており、
上記ネットワークから要求した電力の供給ができない旨の応答を受信した第１のモジュールは、異常表示のための処理をする
モジュール装置。
【請求項２】
上記第１のモジュールは、上記ネットワークを介して第２のモジュールに異常を通知し、
上記第２のモジュールは、上記異常の通知を受けたとき、該異常の表示を制御する
請求項１に記載のモジュール装置。
【請求項３】
上記第２のモジュールは、表示器を有するモジュールであり、
上記第２のモジュールは、上記表示器に異常を表示するように制御する
請求項２に記載のモジュール装置。
【請求項４】
上記第２のモジュールに接続されて機能する従属モジュールをさらに備え、
上記第２のモジュールは、上記従属モジュールの表示器に異常を表示するように制御する
請求項２に記載のモジュール装置。
【請求項５】
上記表示器は、ボタン機構が具備する点灯部品であり、
上記異常の表示は、上記点灯部品の通常とは異なる表示態様により行われる
請求項３または４に記載のモジュール装置。
【請求項６】
上記複数のモジュールは、機械的に結合されたモジュール群と、１つ以上の機械的に結合されていないモジュールとからなり、
上記第２のモジュールは、上記機械的に接合されていないモジュールの一つである
請求項２に記載のモジュール装置。
【請求項７】
上記複数のモジュールは、機械的に結合されており、
上記第１のモジュールは、自身の相対的位置情報を付加して、上記第２のモジュールに異常を通知する
請求項２に記載のモジュール装置。
【請求項８】
上記第２のモジュールは、上記異常の通知を受けたとき、位置情報の表示を伴う異常の表示を制御する
請求項７に記載のモジュール装置。
【請求項９】
上記複数のモジュール、あるいは上記複数のモジュールと該複数のモジュールのいずれかに接続されて機能する従属モジュールは機械的に結合されており、
上記第１のモジュールの異常表示のための処理により、上記機械的に接合されたモジュール内の相対的な位置関係において特定位置にあるモジュールの表示器に異常表示が行われる
請求項１に記載のモジュール装置。
【請求項１０】
上記特定位置にあるモジュールは、複数の表示器を具備しており、
上記複数の表示器のうち特定の表示器に異常表示が行われる
請求項９に記載のモジュール装置。
【請求項１１】
ＰｏＥで電力供給を受けるネットワークインタフェースを持つコンピュータを内蔵する複数のモジュールを備え、
上記複数のモジュールはネットワーク接続されており、
上記ネットワークを介して第１のモジュールから電力エラーメッセージを受信した第２のモジュールは、異常の表示を制御する
モジュール装置。
【請求項１２】
上記第２のモジュールは、表示器を有するモジュールであり、
上記第２のモジュールは、上記表示器に異常を表示するように制御する
請求項１１に記載のモジュール装置。
【請求項１３】
上記第２のモジュールに接続されて機能する従属モジュールをさらに備え、
上記第２のモジュールは、上記従属モジュールの表示器に異常を表示するように制御する
請求項１１に記載のモジュール装置。
【請求項１４】
コントロール・パネルを有する放送用システムであって、
上記コントロール・パネルは、ＰｏＥで電力供給を受けるネットワークインタフェースを持つコンピュータを内蔵する複数のモジュールを備え、
上記複数のモジュールはネットワーク接続されており、
上記ネットワークから要求した電力の供給ができない旨の応答を受信したモジュールは、異常表示を行うための処理をする
放送用システム。
【発明の詳細な説明】
【技術分野】
【０００１】
本技術は、モジュール装置および放送用システムに関する。
【背景技術】
【０００２】
従来、ＰｏＥ（Power over Ethernet（登録商標）の技術が知られている。この技術は、イーサネット（登録商標）のケーブルを利用して電力を供給する技術である（例えば、特許文献１参照）。ＰｏＥは、基本的に、イーサネットケーブルを介して電力を受け取る受電装置（ＰＤ：Powered Device）とイーサネットケーブルを介して電力を供給する給電装置（ＰＳＥ：Power Sourcing Equipment）という２つの要素によって構成される。
【先行技術文献】
【特許文献】
【０００３】
【特許文献１】特開２００９−１０６１２７号公報
【発明の概要】
【発明が解決しようとする課題】
【０００４】
本技術の目的は、ＰｏＥ技術で電力が供給される複数のモジュールにおける電力エラー表示を良好に行うことにある。
【課題を解決するための手段】
【０００５】
本技術の概念は、
ＰｏＥで電力供給を受けるネットワークインタフェースを持つコンピュータを内蔵する複数のモジュールを備え、
上記複数のモジュールはネットワーク接続されており、
上記ネットワークから要求した電力の供給ができない旨の応答を受信した第１のモジュールは、異常表示のための処理をする
モジュール装置にある。【０００６】
本技術のモジュール装置は、複数のモジュールを備えている。各モジュールは、ＰｏＥで電力が供給される。各モジュールには、ＰｏＥで電力供給を受けるネットワークインタフェースを持つコンピュータが内蔵されている。複数のモジュールは、ネットワーク接続されており、ネットワークから要求した電力の供給ができない旨の応答を受信した第１のモジュールでは、異常表示のための処理が行われる。【０００７】
例えば、第１のモジュールは、ネットワークを介して第２のモジュールに異常を通知し、第２のモジュールは、異常の通知を受けたとき、異常の表示を制御する、ようにされてもよい。この場合、例えば、第２のモジュールは表示器を有するモジュールであり、第２のモジュールは表示器に異常を表示するように制御する、ようにされてもよい。また、この場合、例えば、第２のモジュールに接続されて機能する従属モジュールをさらに備え、第２のモジュールは従属モジュールの表示器に異常を表示するように制御する、ようにされてもよい。ここで、例えば、表示器は、ボタン機構が具備する点灯部品であり、異常の表示は、点灯部品の通常とは異なる表示態様により行われる、ようにされてもよい。【０００８】
また、この場合、例えば、複数のモジュールは、機械的に結合されたモジュール群と、１つ以上の機械的に結合されていないモジュールとからなり、第２のモジュールは、機械的に接合されていないモジュールの一つである、ようにされてもよい。また、この場合、例えば、複数のモジュールは、機械的に結合されており、第１のモジュールは、自身の相対的位置情報を付加して、上記第２のモジュールに異常を通知する、ようにされてもよい。そして、この場合、第２のモジュールは、異常の通知を受けたとき、位置情報の表示を伴う異常の表示を制御する、ようにされてもよい。【０００９】
また、例えば、複数のモジュール、あるいは複数のモジュールとこの複数のモジュールのいずれかに接続されて機能する従属モジュールは機械的に結合されており、第１のモジュールの異常表示のための処理により、機械的に接合されたモジュール内の相対的な位置関係において特定位置にあるモジュールの表示器に異常表示が行われる、ようにされてもよい。この場合、例えば、特定位置にあるモジュールは、複数の表示器を具備しており、複数の表示器のうち特定の表示器に異常表示が行われる、ようにされてもよい。【００１０】
このように本技術によれば、ネットワークから要求した電力の供給ができない旨の応答を受信した第１のモジュールは異常表示のための処理をする、例えば、ネットワークを介して第２のモジュールに異常を通知するものである。そのため、ＰｏＥ技術で電力が供給される複数のモジュールにおける電力エラー表示を良好に行うことができる。【００１１】
また、本技術の他の概念は、
ＰｏＥで電力供給を受けるネットワークインタフェースを持つコンピュータを内蔵する複数のモジュールを備え、
上記複数のモジュールはネットワーク接続されており、
上記ネットワークを介して第１のモジュールから電力エラーメッセージを受信した第２のモジュールは、異常の表示を制御する
モジュール装置にある。【００１２】
本技術のモジュール装置は、複数のモジュールを備えている。各モジュールは、ＰｏＥ技術で電力が供給される。各モジュールには、ＰｏＥで電力供給を受けるネットワークインタフェースを持つコンピュータが内蔵されている。複数のモジュールは、ネットワーク接続されており、ネットワークを介して第１のモジュールから電力エラーメッセージを受信した第２のモジュールでは、異常の表示が制御される。【００１３】
例えば、第２のモジュールは表示器を有するモジュールであり、この第２のモジュールは表示器に異常を表示するように制御する、ようにされてもよい。また、例えば、第２のモジュールに接続されて機能する従属モジュールをさらに備え、第２のモジュールは従属モジュールの表示器に異常を表示するように制御する、ようにされてもよい。【００１４】
このように本技術によれば、ネットワークを介して第１のモジュールから電力エラーメッセージを受信した第２のモジュールは、異常の表示を制御するものである。そのため、ＰｏＥ技術で電力が供給される複数のモジュールにおける電力エラー表示を良好に行うことができる。【００１５】
また、本技術のさらに他の概念は、
コントロール・パネルを有する放送用システムであって、
上記コントロール・パネルは、ＰｏＥで電力供給を受けるネットワークインタフェースを持つコンピュータを内蔵する複数のモジュールを備え、
上記複数のモジュールはネットワーク接続されており、
上記ネットワークから要求した電力の供給ができない旨の応答を受信したモジュールは、異常表示を行うための処理をする
放送用システムにある。【００１６】
本技術において、コントロール・パネルは、ＰｏＥで電力供給を受けるネットワークインタフェースを持つコンピュータを内蔵する複数のモジュールを備えている。複数のモジュールは、ネットワーク接続されており、ネットワークから要求した電力の供給ができない旨の応答を受信したモジュールでは、異常表示のための処理が行われる。例えば、ネットワークから要求した電力の供給ができない旨の応答を受信したモジュールでは、ネットワークを介して他のモジュールに異常を通知することが行われ、この他のモジュールでは、異常の通知を受けたとき、異常の表示を制御することが行われる。【００１７】
このように本技術によれば、ネットワークから要求した電力の供給ができない旨の応答を受信したモジュールは異常表示のための処理をする、例えば、ネットワークを介して他のモジュールに異常を通知するものである。そのため、ＰｏＥ技術で電力が供給される複数のモジュールにおける電力エラー表示を良好に行うことができる。
【発明の効果】
【００１８】
本技術によれば、ＰｏＥ技術で電力が供給される複数のモジュールにおける電力エラー表示を良好に行うことができる。なお、ここに記載された効果は必ずしも限定されるものではなく、本開示中に記載されたいずれかの効果であってもよい。
【図面の簡単な説明】
【００１９】
【図１】放送用システムの構成例を示すブロック図である。
【図２】スイッチャ・コントロール・パネルにおいて、複数のモジュールが機械的に結合された構成例を示す図である。
【図３】ＰｏＥで電力供給を受けるモジュールから、それに接続された同じ列の従属モジュールに電源供給を行うための電源ラインの配置例を示す図である。
【図４】ＰｏＥで電力供給を受けるモジュールの位置が端（左端、右端）でない例を示す図である。
【図５】スイッチャ・コントロール・パネルにおいて、機械的に結合された複数のモジュールと共に、タッチパネル型操作部を持つ非結合のモジュールを備える構成例を示す図である。
【図６】モジュールの一例の外観を示す図である。
【図７】ベース枠の構造の一例を示す図である。
【図８】タッチパネル型操作部を持つモジュールの構成例を示すブロック図である。
【図９】ＰｏＥの電力供給に関連して行われるネットワーク・スイッチとモジュールとの間の一般的な通信のシーケンスを示す図である。
【図１０】モジュールのＣＰＵの起動処理の一例を示すフローチャートである。
【図１１】モジュールのＣＰＵの起動処理の他の一例を示すフローチャートである。
【図１２】モジュールのＣＰＵの起動処理の他の一例を示すフローチャートである。
【図１３】モジュールのＣＰＵの起動処理の他の一例を示すフローチャートである。
【図１４】起動処理時におけるモジュール間の通信シーケンスの一例を示す図である。
【図１５】起動処理時におけるモジュール間の通信シーケンスの他の一例を示す図である。
【図１６】モジュールのＣＰＵの起動処理の他の一例を示すフローチャートである。
【図１７】モジュールのＣＰＵの起動処理の他の一例を示すフローチャートである。
【図１８】モジュールのＣＰＵの起動処理の他の一例を示すフローチャートである。
【図１９】モジュールのＣＰＵの起動処理の他の一例を示すフローチャートである。
【図２０】起動処理時におけるモジュール間の通信シーケンスの一例を示す図である。
【図２１】起動処理時におけるモジュール間の通信シーケンスの他の一例を示す図である。
【発明を実施するための形態】
【００２０】
以下、発明を実施するための形態（以下、「実施の形態」とする）について説明する。なお、説明は以下の順序で行う。
１．実施の形態
２．変形例
【００２１】
＜１．実施の形態＞
［放送用システムの構成例］
図１は、放送用システム１０の構成例を示している。この放送用システム１０は、ビデオ・ルータ（Video Router）１０１と、ビジョン・ミキサ（Vision Mixer）１０２と、ビデオ・ルータ・コンフィグレーション・パネル（Video Router Configuration Panel）１０３と、パーソナル・コンピュータ（Personal Computer）１０４と、スイッチャ・コントロール・パネル（Control Panel）１０５と、ネットワーク・スイッチ（Network Switch）１０６を有している。
【００２２】
ビデオ・ルータ１０１は、ビデオ信号等の切り替え（分配）を行う装置である。ビデオ・ルータ１０１のビデオ信号出力は、放送電波送出機器などへ送られる。ビデオ・ルータ１０１は、各ビデオ出力経路にいずれかの入力ビデオを接続し、ビデオ信号を出力する。ビデオ・ルータ・コンフィグレーション・パネル１０３は、ビデオ・ルータ１０１の各種設定操作を受ける操作卓である。ビデオ・ルータ・コンフィグレーション・パネル１０３は、ビデオ・ルータ１０１の信号の切り替え（伝送経路決定）の操作も受けて、ビデオ・ルータ１０１を制御する。ビデオ・ルータ１０１の動作は、運用中は、あまり変更されない。
【００２３】
ビジョン・ミキサ１０２は、複数の入力ビデオ信号をもとにして出力ビデオ信号を生成する。このビジョン・ミキサ１０２の入出力ビデオ信号は、原則として、全てビデオ・ルータ１０１を経由して他の機器との間で授受される。ビジョン・ミキサ１０２の動作は、運用中に頻繁に変更される。
【００２４】
スイッチャ・コントロール・パネル１０５は、ビジョン・ミキサ１０２やビデオ・ルータ１０１の動作変更のための操作を受ける操作卓である。スイッチャ・コントロール・パネル１０５は、ビジョン・ミキサ１０２やビデオ・ルータ１０１の動作変更の操作を受けて、ビジョン・ミキサ１０２やビデオ・ルータ１０１を制御する。スイッチャ・コントロール・パネル１０５は、通常はビジョン・ミキサ１０２のみを制御し、特別な場合にビデオ・ルータ１０１を制御する。
【００２５】
スイッチャ・コントロール・パネル１０５からビデオ・ルータ１０１を制御するコマンド経路を用いると、ビデオ・ルータ１０１からの主な出力、例えば、放送電波送出機器へのビデオ信号について、いずれの入力ビデオ信号を選ぶかをスイッチャ・コントロール・パネル１０５から指示することもできる。従って、スイッチャ・コントロール・パネル１０５のパネル全体の中で、ビデオ・ルータ１０１にコマンドを送るようにされている、１つのクロスポイントボタン列が操作できれば、放送用システム１０として、最低限の運用が可能である。
【００２６】
スイッチャ・コントロール・パネル１０５は、複数のモジュール１５１を持つ構成とされている。各モジュール１５１は、ネットワーク・スイッチ１０６を通じて、ビジョン・ミキサ１０２やビデオ・ルータ１０１に接続されている。各モジュール１５１は、ＰｏＥで電力供給を受けるネットワークインタフェースを持つコンピュータ（ＣＰＵ）を内蔵している。ここで、各モジュール１５１はそれぞれ電力を受け取る受電装置（ＰＤ）を構成し、ネットワーク・スイッチ１０６は電力を供給する給電装置（ＰＳＥ）を構成する。
【００２７】
図２は、スイッチャ・コントロール・パネル１０５において、複数のモジュール１５１が機械的に結合された構成例を示している。スイッチャ・コントロール・パネル１０５には、ＰｏＥで電力供給を受けるモジュール１５１の他に、モジュール１５１に接続されて機能するモジュールである従属モジュール１５２も存在する。なお、ネットワーク・スイッチ１０６と各モジュール１５１との接続は、それぞれのモジュール１５１がネットワーク・スイッチ１０６に直接接続されるスター接続となっている。
【００２８】
また、従属モジュール１５２は、コンピュータ（ＣＰＵ）を内蔵していてもいなくてもよい。コンピュータ（ＣＰＵ）を内蔵していない従属モジュール１５２は同じ列（図面上の左右方向）でコンピュータ（ＣＰＵ）を内蔵するモジュールにより制御される。
【００２９】
図示の例では、ＰｏＥで電力供給を受けるモジュール１５１が左端に配置されている。また、モジュール１５１や従属モジュール１５２には、表面に、押しボタン１５３や表示器１５４が必要に応じて配置されている。なお、図示の例においては、図面の簡単化のために、押しボタン１５３や表示器１５４の表示を適宜省略して示している。
【００３０】
図３は、ＰｏＥで電力供給を受けるモジュール１５１から、それに接続された同じ列（図面上の左右方向）の従属モジュール１５２に電源供給を行うための電源ライン１５６の配置例を示している。図示の例は、従属モジュール１５２の全てがコンピュータ（ＣＰＵ）を内蔵しているように示しているが、従属モジュール１５２の全てがコンピュータ（ＣＰＵ）を内蔵している必要はない。
【００３１】
なお、図４に示すように、ＰｏＥで電力供給を受けるモジュール１５１の位置が端（左端、右端）でない例も考えられる。この場合、ＰｏＥで電力供給を受けるモジュール１５１から従属モジュール１５２への電源ライン１５６が短くて済むという利点がある。
【００３２】
図５は、スイッチャ・コントロール・パネル１０５において、機械的に結合された複数のモジュール１５１と共に、タッチパネル型操作部１５５を持つ非結合のモジュール１５１を備える構成例を示している。なお、非結合のモジュール１５１が複数存在する構成も考えられる。
【００３３】
図６は、モジュール１５０（モジュール１５１、モジュール１５２）の一例の外観を示している。表面には、点灯式押ボタン１６１、文字表示器１６２などのＵＩ（user interface）部品が配置されている。点灯式押ボタン１６１は、押しボタンスイッチ機構であり、操作者の押下操作を電気信号に変換する他、内部に複数の異なる色のＬＥＤ（light emitting diode）を備え、複数種類の色で点灯可能であり、操作対象機器機能の状態を表示できる。文字表示器１６２は、液晶パネルなどによる文字表示を行って、機器の状態を表示する。
【００３４】
側面には、連結金具部１６３およびコネクタ部１６４が存在する。連結金具部１６３は、隣接する他のモジュール等と機械的に結合するための構造であり、ねじによる結合を可能にする形状などでなるが、既知の技術であり、詳細は省略する。コネクタ部１６４は、複数の電気的接点を備えた電気的コネクタであり、隣接するモジュールと回路を接続するための構造である。各モジュール１５０は、サイズおよび表面のＵＩ部品は、種類毎に様々であり、結合された全体で目的とされたＵＩ機能を実現する。
【００３５】
なお、モジュールとモジュールを連結金具部１６３で結合するだけではなく、それらモジュールを設置するベース枠を設けてもよい。図７は、ベース枠１１０の構造の一例を示している。
【００３６】
モジュールの各列においては、モジュール同士が直接結合するが、列と列との間は枠が存在し、モジュールは枠にはめ込まれ、別の列に対するコネクタ部１６４は、枠に設けられた接点部を介して、別の列のコネクタ部１６４と接続する。なお、例えば図４の構成例の場合、別の列と電気的に接続されるのはＰｏＥで電力供給を受けるモジュール１５１のみとなる。ベース枠１１０を用いることで、全体の強度が増す。
【００３７】
ベース枠１１０と各モジュール１５０（モジュール１５１、モジュール１５２）は、例えば、ベース枠１１０の底面からのねじ止めにより互いに固定される。例えば、それぞれのモジュール１５１は、ベース枠１１０自体に設けた局所的な形状を検知することにより、全体の中でどの位置にあるかを検知することができる。あるいは、例えば、それぞれのモジュール１５１は、ベース枠１１０に局所的に設けた回路とコネクタ部１６４を介して接続することにより、全体の中でどの位置にあるか、例えば何列目であるかを検知することができる。
【００３８】
なお、上述では、モジュールにＰｏＥネットワークに接続するコネクタを備えるものとしたが、ＰｏＥネットワークに接続するコネクタはベース枠１１０に設け、ベース枠１１０とモジュールとの間は独自のコネクタ部により電気回路を接続するようにしてもよい。各モジュールは、ＰｏＥ以外にＤＣあるいはＡＣの電源ライン（コネクタ）を設けて、そこから電力が得られればＰｏＥ機能を使用せず、得られない場合のみ、本明細書で記述した機能で動作させるようにしてもよい。
【００３９】
図８は、タッチパネル型操作部１５５を持つモジュール１５１の構成例を示している。このモジュール１５１は、ＣＰＵ１７１と、ＲＡＭ１７２と、ＲＯＭ１７３と、ストレージ１７４と、タッチパネル型操作部１５５と、操作ボタン搭載回路１７５と、ＰｏＥ対応ネットワークインタフェース１７６を備えている。ストレージ１７４には、電力エラー履歴を保持する。このように電力エラー履歴を保持する構成の場合、電力エラーを検知したモジュールは、必ずこのモジュールを宛先としてエラー通知を送信する処理とする。
【００４０】
図９は、ＰｏＥの電力供給に関連して行われるネットワーク・スイッチ１０６とモジュール１５１との間の一般的な通信のシーケンスを示している。モジュール１５１では、ソフトウェア起動前に、ハードウェアによるＰＳＥ（Network Switch）とのやり取りがあり、その後、“Power On”で最低限の電力が供給され、ＣＰＵ上でソフトウェアがブート起動する。
【００４１】
モジュール１５１のソフトウェアは起動後、ＰＳＥ（Network Switch）との間でＬＬＤＰ（Link Layer Discovery Protocol）によるネゴシエーション（Negotiation）を実行し、ＰＳＥ側で可能であれば、要求した電力が許されることの返事を受け取る（power allowed）。返事が来ない場合や、要求電力値よりも小さな値が帰ってきた場合は、失敗である。
【００４２】
成功（allowed）であれば、要求通りの電力が供給される（すなわち使用可能となる）。ソフトウェアはモジュール１５１内のハードウェアを初期化し、すべての機能をアクティブ（Active）とし作動させる。図示していないが、失敗の場合は、モジュール１５１内のハードウェアの初期化において、例えば一部のハードウェアのみをアクティブ（Active）とし、他のハードウェアは機能させないようにする。
【００４３】
その後、モジュール１５１は通常稼働状態となるが、定期的にＰＳＥ（Network Switch）と交信し（Status Monitoring）、供給電力の削減が要求されないか監視する。削減が要求された場合は異常発生として、起動時の電力不足（失敗）と同様のシーケンスを動かしてもよい。
【００４４】
図１に示す放送用システム１０において、スイッチャ・コントロール・パネル１０５を構成する複数のモジュール１５１のうち、ネットワーク・スイッチ１０６から要求した電力の供給ができない旨の応答を受信した第１のモジュール１５１は、異常表示（電力エラー表示）のための処理をする。例えば、この第１のモジュール１５１は、自分が持つ表示器、あるいは自分に接続されている従属モジュール１５２の表示器に異常（電力エラー）を表示するように制御する。
【００４５】
また、例えば、第１のモジュール１５１は、ネットワークを介して、第２のモジュール１５１に異常（電力エラー）を通知する。この場合、例えば、第２のモジュール１５１は、表示器を有するモジュールであり、この表示器に異常（電力エラー）を表示するように制御する。また、この場合、例えば、第２のモジュール１５１は、この第２のモジュール１５１に接続されて機能する従属モジュール１５２の表示器に異常（電力エラー）を表示するように制御する。
【００４６】
ここで、異常（電力エラー）を表示する表示器は、例えば、ボタン機構が具備する点灯部品であり、異常の表示は、点灯部品の通常とは異なる表示態様により行われる。
【００４７】
機械的に結合された複数のモジュール１５１と共に、タッチパネル型操作部１５５を持つ非結合のモジュール１５１を備える構成のスイッチャ・コントロール・パネル１０５の場合、例えば、非結合のモジュール１５１を第２のモジュール１５１として、第１のモジュール１５１は第２のモジュール１５１に異常（電力エラー）を通知する。
【００４８】
また、例えば、第１のモジュール１５１は、機械的に結合された複数のモジュールにおける自身の相対的位置情報を付加して、第２のモジュール１５１に異常（電力エラー）を通知する。この場合、第２のモジュール１５１は、どの位置のモジュール１５１が異常（電力エラー）であったかを表示器に表示するように制御できる。
【００４９】
また、例えば、第１のモジュール１５１の異常表示のための処理により、機械的に結合された複数のモジュール１５１の内の相対的な位置関係において特定位置にあるモジュール１５１の表示器に異常（電力エラー）を表示する。ここで、例えば、特定位置にあるモジュール１５１は複数の表示器を具備しており、この複数の表示器のうち特定の表示器に異常（電力エラー）を表示する。
【００５０】
また、例えば、第１のモジュール１５１は、自身より高い優先順位のモジュールである第２のモジュール１５１にエラー通知と応答を求めるメッセージを送信する。そして、第１のモジュール１５１は、第２のモジュール１５１から応答があるとき、全ての機能を停止する。一方、第１のモジュール１５１は、第２のモジュール１５１から応答がないとき、自身で、または自身に接続されて機能する従属モジュール１５２で異常（電力エラー）を表示するように制御する。
【００５１】
ここで、優先順位は、例えば、複数のモジュール１５１内における相対的な位置関係による優先順位、あるいは複数のモジュール１５１内におけるモジュールの種類による優先順位である。相対的な位置関係による優先順位の場合、例えば、手前側の列に配置されるモジュール１５１ほど優先順位を高くする。
【００５２】
また、モジュールの種類による優先順位の場合、例えば、クロスポイント操作モジュールの優先順位を高くする。スイッチャ・コントロール・パネル１０５は、複数のモジュール１５１で構成される。スイッチャとしての必須の機能はビデオ信号の選択・切り替えである。このため、複数モジュールすべてを稼働させることができない場合、クロスポイント操作モジュールだけでも動く方が好ましい。あるいは、最低一つのクロスポイント操作モジュールを従属モジュール１５２として接続しているあるモジュール１５１の優先順位を高くしても良い。
【００５３】
トランジション操作モジュール等はミキシング（Mixing）の操作を受ける部分であり、様々な画面の構成・効果を操作できるが、緊急時には機能しなくても、放送運用を続けることは可能である。このため、クロスポイント操作モジュールを優先して稼働させることに経済的価値がある。また、放送運用するための最低限の操作は、一系統のビデオ信号出力について、入力信号を選択することである。したがって、パネル全体の中で、１つのクロスポイントボタン列が操作できれば、最低限の運用が可能である。
【００５４】
また、第１のモジュール１５１は、ネットワークを介して第２のモジュール１５１に異常（電力エラー）を通知した後、自身の位置が緊急稼働位置にあるときは少なくとも緊急稼働機能を機能させ、自身の位置が緊急稼働位置にないときは全ての機能を停止する。例えば、あるクロスポイント操作モジュールを緊急稼働位置のモジュールとなるように設定する。
【００５５】
図１０のフローチャートは、モジュール１５１のＣＰＵの起動処理の一例を示している。ＣＰＵは、ステップＳＴ１において、起動処理を開始する。その後、ＣＰＵは、ステップＳＴ２において、電力要求量をネットワーク・スイッチ（スイッチング・ハブ）１０６に送信し、ステップＳＴ３において、タイムアウトまで応答を待つ。
【００５６】
次に、ＣＰＵは、ステップＳＴ４において、要求電力に対し、許可応答があったか否かを判断する。許可応答があったとき、ＣＰＵは、ステップＳＴ５において、通常稼働状態に制御し、その後、ステップＳＴ６において、起動処理を終了する。
【００５７】
また、ステップＳＴ４で許可応答がなかったとき、すなわち応答がなかった場合、あるいは要求電力値よりも小さな値が帰ってきた場合、ＣＰＵは、ステップＳＴ７において、ネットワーク通信機能以外はハードウェアを活性化しないように制御する。そして、次に、ＣＰＵは、ステップＳＴ８において、予め定められたＩＰアドレス宛に、電力エラー発生（異常発生）のメッセージを送信する。
【００５８】
また、図１１のフローチャートは、モジュール１５１のＣＰＵの起動処理の他の一例を示している。ＣＰＵは、ステップＳＴ１１において、起動処理を開始する。その後、ＣＰＵは、ステップＳＴ１２において、電力要求量をネットワーク・スイッチ（スイッチング・ハブ）１０６に送信し、ステップＳＴ１３において、タイムアウトまで応答を待つ。
【００５９】
次に、ＣＰＵは、ステップＳＴ１４において、要求電力に対し、許可応答があったか否かを判断する。許可応答があったとき、ＣＰＵは、ステップＳＴ１５において、通常稼働状態に制御すると共に、メッセージ受信可能状態に制御する。
【００６０】
そして、ＣＰＵは、ステップＳＴ１６において、電力エラー発生のメッセージを受信した場合、文字表示機能ハードウェアに対して、送信元モジュール１５１の電力エラー発生のメッセの表示を指示し、その後、ステップＳＴ１７において、起動処理を終了する。
【００６１】
また、ステップＳＴ１４で許可応答がなかったとき、すなわち応答がなかった場合、あるいは要求電力値よりも小さな値が帰ってきた場合、ＣＰＵは、ステップＳＴ１８において、ネットワーク通信機能と文字表示機能ハードウェア以外はハードウェアを活性化しないように制御する。そして、次に、ＣＰＵは、ステップＳＴ１９において、文字表示機能ハードウェアに対して、電力エラー発生のメッセージの表示を指示し、その後、ステップＳＴ１７において、起動処理を終了する。
【００６２】
また、図１２のフローチャートは、モジュール１５１のＣＰＵの起動処理の他の一例を示している。ＣＰＵは、ステップＳＴ２１において、起動処理を開始する。その後、ＣＰＵは、ステップＳＴ２２において、電力要求量をネットワーク・スイッチ（スイッチング・ハブ）１０６に送信し、ステップＳＴ２３において、タイムアウトまで応答を待つ。
【００６３】
次に、ＣＰＵは、ステップＳＴ２４において、要求電力に対し、許可応答があったか否かを判断する。許可応答があったとき、ＣＰＵは、ステップＳＴ２５において、通常稼働状態に制御し、その後、ステップＳＴ２６において、起動処理を終了する。
【００６４】
また、ステップＳＴ２４で許可応答がなかったとき、すなわち応答がなかった場合、あるいは要求電力値よりも小さな値が帰ってきた場合、ＣＰＵは、ステップＳＴ２７において、ネットワーク通信機能と、所定従属モジュール１５２の所定ボタン、例えば左側従属モジュール１５２の手前左端ボタンの点灯機能以外はハードウェアを活性化しないように制御する。そして、次に、ＣＰＵは、ステップＳＴ２８において、所定従属モジュール１５２の所定ボタンを、赤で１秒間隔の点滅が行われるように制御し、その後、ステップＳＴ２６において、起動処理を終了する。
【００６５】
なお、上述の起動処理例ではボタンを赤で１秒間隔の点滅が行われるように制御することで電力エラー（異常）を表示するが、電力エラー（異常）の表示態様はこれ以外であってもよい。
【００６６】
図１３のフローチャートは、モジュール１５１のＣＰＵの起動処理の他の一例を示している。ＣＰＵは、ステップＳＴ３１において、起動処理を開始する。その後、ＣＰＵは、ステップＳＴ３２において、電力要求量をネットワーク・スイッチ（スイッチング・ハブ）１０６に送信し、ステップＳＴ３３において、タイムアウトまで応答を待つ。
【００６７】
次に、ＣＰＵは、ステップＳＴ３４において、要求電力に対し、許可応答があったか否かを判断する。許可応答があったとき、ＣＰＵは、ステップＳＴ３５において、通常稼働状態に制御すると共に、メッセージ受信可能状態に制御する。
【００６８】
次に、ＣＰＵは、ステップＳＴ３６において、電力エラー発生のメッセージを受信した場合、応答する。そして、ＣＰＵは、ステップＳＴ３７において、ネットワーク通信機能と所定従属モジュール１５２の所定ボタンの点灯機能以外は、ハードウェアを活性化しないように制御する。そして、ＣＰＵは、ステップＳＴ３８において、所定従属モジュール１５２の所定ボタンを、赤で１秒間隔の点滅が行われるように制御し、その後、ステップＳＴ３９において、起動処理を終了する。
【００６９】
なお、ステップＳＴ３７、ステップＳＴ３８の処理では、所定従属モジュール１５２の所定ボタンを用いて電力エラー（異常）の表示を行うものであるが、例えば、自分のモジュール１５１の所定ボタンを用いて電力エラー（異常）の表示を行ってもよい。
【００７０】
また、ステップＳＴ３４で許可応答がなかったとき、すなわち応答がなかった場合、あるいは要求電力値よりも小さな値が帰ってきた場合、ＣＰＵは、ステップＳＴ４０において、
自分より優先順位が高いモジュール１５１へ、エラー通知と応答を求めるメッセージを送る。その後、ＣＰＵは、ステップＳＴ４１において、タイムアウトまで応答を待つ。
【００７１】
例えば、非従属モジュールである各モジュール１５１には、予め定められたＩＰアドレスが設定されており、例えば、優先順位が高いモジュール１５１ほどＩＰアドレスが若く設定されている。また、優先順位には、上述したように、複数のモジュール１５１内における相対的な位置関係による優先順位、あるいは複数のモジュール１５１内におけるモジュールの種類による優先順位などがある。
【００７２】
次に、ＣＰＵは、ステップＳＴ４２において、メッセージを送ったモジュール１５１から応答があったか否かを判断する。応答があったとき、ＣＰＵは、ステップＳＴ４３において、作動停止し、その後、ステップＳＴ３９において、起動処理を終了する。なお、作動停止すると、電力消費が停止し、ネットワーク・スイッチ１０６からの電力供給が断たれる。
【００７３】
また、ステップＳＴ４２で応答がなかったとき、ＣＰＵは、ステップＳＴ４４において、ネットワーク通信機能と所定従属モジュール１５２の所定ボタンの点灯機能以外は、ハードウェアを活性化しないように制御する。そして、ＣＰＵは、ステップＳＴ４５において、所定従属モジュール１５２の所定ボタンを、赤で１秒間隔の点滅が行われるように制御し、その後、ステップＳＴ３９において、起動処理を終了する。
【００７４】
なお、ステップＳＴ４４、ステップＳＴ４５の処理では、所定従属モジュール１５２の所定ボタンを用いて電力エラー（異常）の表示を行うものであるが、例えば、モジュール１５１自身の所定ボタンを用いて電力エラー（異常）の表示を行ってもよい。
【００７５】
図１４は、図１３のフローチャートに示す起動処理例に対応したモジュール間の通信シーケンスの一例を示している。この通信シーケンス例は、優先順位が１であるモジュール１（Module 1）と、優先順位が２であるモジュール2（Module 2）と、優先順位が３であるモジュール3（Module 3）の３つのモジュールが存在する場合の例である。そして、要求電力に対し、モジュール１，２には許可応答があり、モジュール３には許可応答がなかった場合の例である。
【００７６】
この場合、モジュール３からモジュール１，２にエラー通知と応答を求めるエラー発生のメッセージが送られる。これに対して、モジュール１，２からモジュール３に応答が送られてくる。この結果、モジュール３は、作動停止し、モジュール１，２は、一部機能のみが稼働し、エラーを示すボタン点滅をする。
【００７７】
図１５は、図１３のフローチャートに示す起動処理例に対応したモジュール間の通信シーケンスの他の一例を示している。この通信シーケンス例は、優先順位が１であるモジュール１（Module 1）と、優先順位が２であるモジュール2（Module 2）と、優先順位が３であるモジュール3（Module 3）の３つのモジュールが存在する場合の例である。そして、要求電力に対し、モジュール１，３には許可応答があり、モジュール２には許可応答がなかった場合の例である。
【００７８】
この場合、モジュール２からモジュール１にエラー通知と応答を求めるエラー発生のメッセージが送られる。これに対して、モジュール１からモジュール２に応答が送られてくる。この結果、モジュール２は、作動停止し、モジュール１は、一部機能のみが稼働し、エラーを示すボタン点滅をする。なお、モジュール３は、通常稼働となる。
【００７９】
図１６のフローチャートは、モジュール１５１のＣＰＵの起動処理の他の一例を示している。ＣＰＵは、ステップＳＴ５１において、起動処理を開始する。その後、ＣＰＵは、ステップＳＴ５２において、自身のモジュール１５１の位置から、優先順位Ｐを求める。例えば、ベース枠１１０の接点からの電気的情報あるいはモジュール相互の接点での電気的情報から、自身が何列目であるかを知り、若い番号の列を優先する順位とする。
【００８０】
次に、ＣＰＵは、ステップＳＴ５３において、電力要求量をネットワーク・スイッチ（スイッチング・ハブ）１０６に送信し、ステップＳＴ５４において、タイムアウトまで応答を待つ。
【００８１】
次に、ＣＰＵは、ステップＳＴ５５において、要求電力に対し、許可応答があったか否かを判断する。許可応答があったとき、ＣＰＵは、ステップＳＴ５６において、通常稼働状態に制御すると共に、メッセージ受信可能状態に制御する。
【００８２】
次に、ＣＰＵは、ステップＳＴ５７において、電力エラー発生のメッセージを受信し、そのメッセージの優先順位のパラメータがＰより小さい場合には、了解応答をブロードキャスト返送し、ステップＳＴ５８において、タイムアウトまで応答を待つ。
【００８３】
次に、ＣＰＵは、ステップＳＴ５９において、Ｐより高い優先順位のモジュール１５１から了解応答があったか否かを判断する。応答があったとき、ＣＰＵは、ステップＳＴ６０において、起動処理を終了する。一方、応答がなかったとき、ＣＰＵは、ステップＳＴ６２の処理に移る。
【００８４】
このステップＳＴ６２において、ＣＰＵは、ネットワーク通信機能と所定従属モジュール１５２の所定ボタンの点灯機能以外は、ハードウェアを活性化しないように制御する。そして、ＣＰＵは、ステップＳＴ６３において、所定従属モジュール１５２の所定ボタンを、赤で１秒間隔の点滅が行われるように制御し、その後、ステップＳＴ６０において、起動処理を終了する。
【００８５】
なお、ステップＳＴ６２、ステップＳＴ６３の処理では、所定従属モジュール１５２の所定ボタンを用いて電力エラー（異常）の表示を行うものであるが、例えば、自分のモジュール１５１の所定ボタンを用いて電力エラー（異常）の表示を行ってもよい。
【００８６】
また、ステップＳＴ５５で許可応答がなかったとき、すなわち応答がなかった場合、あるいは要求電力値よりも小さな値が帰ってきた場合、ＣＰＵは、ステップＳＴ６４において、他のモジュール１５１へ、Ｐをパラメータとして、エラー通知と応答を求めるメッセージを送る。了解応答があったとき、ＣＰＵは、ステップＳＴ６７において、作動停止し、その後、ステップＳＴ６０において、起動処理を終了する。なお、作動停止すると、電力消費が停止し、ネットワーク・スイッチ１０６からの電力供給が断たれる。
【００８７】
また、ステップＳＴ６６で了解応答がなかったとき、ＣＰＵは、ステップＳＴ６８において、ネットワーク通信機能と所定従属モジュール１５２の所定ボタンの点灯機能以外は、ハードウェアを活性化しないように制御する。そして、ＣＰＵは、ステップＳＴ６９において、所定従属モジュール１５２の所定ボタンを、赤で１秒間隔の点滅が行われるように制御し、その後、ステップＳＴ６０において、起動処理を終了する。
【００８８】
なお、ステップＳＴ６８、ステップＳＴ６９の処理では、所定従属モジュール１５２の所定ボタンを用いて電力エラー（異常）の表示を行うものであるが、例えば、自分のモジュール１５１の所定ボタンを用いて電力エラー（異常）の表示を行ってもよい。
【００８９】
図１７のフローチャートは、モジュール１５１のＣＰＵの起動処理の他の一例を示している。ＣＰＵは、ステップＳＴ７１において、起動処理を開始する。その後、ＣＰＵは、ステップＳＴ７２において、電力要求量をネットワーク・スイッチ（スイッチング・ハブ）１０６に送信し、ステップＳＴ７３において、タイムアウトまで応答を待つ。
【００９０】
次に、ＣＰＵは、ステップＳＴ７４において、要求電力に対し、許可応答があったか否かを判断する。許可応答があったとき、ＣＰＵは、ステップＳＴ７５において、自分のモジュール１５１の位置は、予め定められた位置（例えば、第１列）か否かを判断する。予め定められた位置でないとき、ＣＰＵは、ステップＳＴ７６において、通常稼働状態に制御し、その後、ステップＳＴ７７において、起動処理を終了する。一方、予め定められた位置であるとき、ＣＰＵは、ステップ７８において、通常稼働状態に制御すると共に、メッセージ受信可能状態に制御する。
【００９１】
次に、ＣＰＵは、ステップＳＴ７９において、電力エラー発生のメッセージを受信した場合、ネットワーク通信機能と所定従属モジュール１５２の所定ボタンの点灯機能以外は、ハードウェアを活性化しないように制御する。そして、ＣＰＵは、ステップＳＴ８０において、所定従属モジュール１５２の所定ボタンを、赤で１秒間隔の点滅が行われるように制御し、その後、ステップＳＴ７７において、起動処理を終了する。
【００９２】
なお、ステップＳＴ７９、ステップＳＴ８０の処理では、所定従属モジュール１５２の所定ボタンを用いて電力エラー（異常）の表示を行うものであるが、例えば、自分のモジュール１５１の所定ボタンを用いて電力エラー（異常）の表示を行ってもよい。
【００９３】
また、ステップＳＴ７４で許可応答がなかったとき、すなわち応答がなかった場合、あるいは要求電力値よりも小さな値が帰ってきた場合、ＣＰＵは、ステップＳＴ８１において、自分のモジュールの位置は、予め定められた位置（例えば、第１列）か否かを判断する。予め定められた位置でないとき、ＣＰＵは、ステップＳＴ８２において、他のモジュール１５１の全部へ、エラー通知メッセージを送り、その後、ステップＳＴ７７において、起動処理を終了する。
【００９４】
一方、予め定められた位置であるとき、ＣＰＵは、ステップ８３において、ネットワーク通信機能と所定従属モジュール１５２の所定ボタンの点灯機能以外は、ハードウェアを活性化しないように制御する。そして、ＣＰＵは、ステップＳＴ８４において、所定従属モジュール１５２の所定ボタンを、赤で１秒間隔の点滅が行われるように制御し、その後、ステップＳＴ７７において、起動処理を終了する。
【００９５】
なお、ステップＳＴ８３、ステップＳＴ８４の処理では、所定従属モジュール１５２の所定ボタンを用いて電力エラー（異常）の表示を行うものであるが、例えば、自分のモジュール１５１の所定ボタンを用いて電力エラー（異常）の表示を行ってもよい。
【００９６】
図１８のフローチャートは、モジュール１５１のＣＰＵの起動処理の一例を示している。ＣＰＵは、ステップＳＴ９１において、起動処理を開始する。その後、ＣＰＵは、ステップＳＴ９２において、自身のモジュール１５１の位置を取得する。例えば、ベース枠１１０の接点からの電気的情報あるいはモジュール相互の接点での電気的情報から、自身が何列目であるかを得る。
【００９７】
次に、ＣＰＵは、ステップＳＴ９３において、電力要求量をネットワーク・スイッチ（スイッチング・ハブ）１０６に送信し、ステップＳＴ９４において、タイムアウトまで応答を待つ。
【００９８】
次に、ＣＰＵは、ステップＳＴ９５において、要求電力に対し、許可応答があったか否かを判断する。許可応答があったとき、ＣＰＵは、ステップＳＴ９６において、通常稼働状態に制御し、その後、ステップＳＴ９７において、起動処理を終了する。
【００９９】
また、ステップＳＴ９５で許可応答がなかったとき、すなわち応答がなかった場合、あるいは要求電力値よりも小さな値が帰ってきた場合、ＣＰＵは、ステップＳＴ９８において、所定の宛先へ、位置情報を付けて電力エラー発生のメッセージを送信し、その後、ステップＳＴ９７において、起動処理を終了する。例えば、所定の宛先は、予め設定されたＩＰアドレス、あるいはホスト名、あるいはＳＮＭＰマネージャなどである。この場合、異常の通知を受けたモジュール１５１は、位置情報の表示を伴う異常（電力エラー）の表示を制御する。例えば、自身のモジュール１５１あるいは従属モジュール１５２の特定ボタンを点滅させるなどする。
【０１００】
図１９は、モジュール１５１のＣＰＵの起動処理の他の一例を示している。この起動処理例においては、予め定められた緊急稼働位置に、必ずモジュール１５１が存在することが前提である。ＣＰＵは、ステップＳＴ１０１において、起動処理を開始する。その後、ＣＰＵは、ステップＳＴ１０２において、自身のモジュール１５１の位置Ｒを得る。
【０１０１】
例えば、ベース枠１１０の接点からの電気的情報あるいはモジュール相互の接点での電気的情報から、自身が何列目であるかを知る。なお、モジュール１５１のＩＰアドレスをＲから決めるようにしてもよい。例えば、アドレスの末尾をＲとして、それ以外の上位は予め設定された規定値とする。
【０１０２】
次に、ＣＰＵは、ステップＳＴ１０３において、電力要求量をネットワーク・スイッチ（スイッチング・ハブ）１０６に送信し、ステップＳＴ１０４において、タイムアウトまで応答を待つ。
【０１０３】
次に、ＣＰＵは、ステップＳＴ１０５において、要求電力に対し、許可応答があったか否かを判断する。許可応答があったとき、ＣＰＵは、ステップＳＴ１０６において、通常稼働状態に制御すると共に、メッセージ受信可能状態に制御する。通常稼働状態では、ビジョン・ミキサ１０２にコマンドを送って制御し、ビジョン・ミキサ１０２からの応答を受けて、ボタン点灯などの表示を行う。
【０１０４】
次に、ＣＰＵは、ステップＳＴ１０７において、電力エラーメッセージを受信した後、ステップＳＴ１０８において、自身の位置Ｒは、予め定められた緊急稼働位置であるか否かを判断する。緊急稼働位置でないとき、ＣＰＵは、ステップＳＴ１０９において、モジュールの機能を停止し、電力消費を中止し、点灯機能は全てオフにする。その後、ＣＰＵは、ステップＳＴ１１０において、起動処理を終了する。
【０１０５】
一方、緊急稼働位置であるとき、ＣＰＵは、ステップＳＴ１１１の処理に移行する。このステップＳＴ１１１において、ＣＰＵは、緊急稼働機能として、ボタン列の複数の列のうちの特定列のみを機能させる。そして、ＣＰＵは、その特定列に操作を受けたらビデオ・ルータ１０１にコマンドを送り、ビジョン・ミキサ１０２の出力ビデオの代替として使用する入力ビデオ信号を選択し、ビデオ・ルータ１０１からの応答に応じてボタンを点灯させる。その後、ＣＰＵは、ステップＳＴ１１０において、起動処理を終了する。
【０１０６】
また、ステップＳＴ１０５で許可応答がなかったとき、すなわち応答がなかった場合、あるいは要求電力値よりも小さな値が帰ってきた場合、ＣＰＵは、ステップＳ１１２において、他のモジュール１５１へ、エラー通知メッセージを送る。
【０１０７】
次に、ＣＰＵは、ステップＳＴ１１３において、自身の位置Ｒは、予め定められた緊急稼働位置であるか否かを判断する。緊急稼働位置であるとき、ＣＰＵは、ステップＳＴ１１１の処理をし、その後に、ステップＳＴ１１０において、起動処理を終了する。一方、緊急稼働位置でないとき、ＣＰＵは、ステップＳＴ１１４において、モジュールの機能を停止し、電力消費を中止し、点灯機能は全てオフにする。その後、ＣＰＵは、ステップＳＴ１１０において、起動処理を終了する。
【０１０８】
図２０は、図１９のフローチャートに示す起動処理例に対応したモジュール間の通信シーケンスの一例を示している。この通信シーケンス例は、緊急稼働位置にあるモジュール１（Module 1）の他に、モジュール2（Module 2）と、モジュール3（Module 3）が存在する場合の例である。そして、要求電力に対し、モジュール１，２には許可応答があり、モジュール３には許可応答がなかった場合の例である。
【０１０９】
この場合、モジュール３からモジュール１，２にエラー発生のメッセージが送られる。この場合、モジュール１は緊急稼働機能のみを動かす状態となり、モジュール２，３は、停止、消灯する。
【０１１０】
図２１は、図１９のフローチャートに示す起動処理例に対応したモジュール間の通信シーケンスの他の一例を示している。この通信シーケンス例は、緊急稼働位置にあるモジュール１（Module 1）の他に、モジュール2（Module 2）と、モジュール3（Module 3）が存在する場合の例である。そして、要求電力に対し、モジュール２，３には許可応答があり、モジュール１には許可応答がなかった場合の例である。
【０１１１】
この場合、モジュール１からモジュール２，３にエラー発生のメッセージが送られる。この場合も、モジュール１は緊急稼働機能のみを動かす状態となり、モジュール２，３は、停止、消灯する。
【０１１２】
上述したように、図１に示す放送用システム１０において、ネットワークから要求した電力の供給ができない旨の応答を受信した第１のモジュール１５１は異常表示のための処理をする、例えば、ネットワークを介して第２のモジュール１５１に異常を通知する。そのため、ＰｏＥ技術で電力が供給される複数のモジュールにおける電力エラー（異常）の表示を良好に行うことができる。
【０１１３】
また、図１に示す放送システム１０において、ネットワークを介して第１のモジュール１５１から電力エラーメッセージを受信した第２のモジュール１５１は、異常の表示を制御する、例えば自身のモジュール１５１、あるいは従属モジュール１５２に、電力エラー（異常）を表示する。そのため、ＰｏＥ技術で電力が供給される複数のモジュールにおける電力エラー表示を良好に行うことができる。
【０１１４】
＜２．変形例＞
なお、上述実施の形態においては、放送用システムの操作卓（スイッチャ・コントロール・パネル）に適用した例を示した。しかし、本技術は、工場設備の制御卓などにも同様に適用できることは勿論である。
【０１１５】
本技術は、以下のような構成も取ることができる。
（１）ＰｏＥで電力供給を受けるネットワークインタフェースを持つコンピュータを内蔵する複数のモジュールを備え、
上記複数のモジュールはネットワーク接続されており、
上記ネットワークから要求した電力の供給ができない旨の応答を受信した第１のモジュールは、異常表示のための処理をする
モジュール装置。
（２）上記第１のモジュールは、上記ネットワークを介して第２のモジュールに異常を通知し、
上記第２のモジュールは、上記異常の通知を受けたとき、該異常の表示を制御する
前記（１）に記載のモジュール装置。
（３）上記第２のモジュールは、表示器を有するモジュールであり、
上記第２のモジュールは、上記表示器に異常を表示するように制御する
前記（２）に記載のモジュール装置。
（４）上記第２のモジュールに接続されて機能する従属モジュールをさらに備え、
上記第２のモジュールは、上記従属モジュールの表示器に異常を表示するように制御する
前記（２）に記載のモジュール装置。
（５）上記表示器は、ボタン機構が具備する点灯部品であり、
上記異常の表示は、上記点灯部品の通常とは異なる表示態様により行われる
前記（３）または（４）に記載のモジュール装置。
（６）上記複数のモジュールは、機械的に結合されたモジュール群と、１つ以上の機械的に結合されていないモジュールとからなり、
上記第２のモジュールは、上記機械的に接合されていないモジュールの一つである
前記（２）から（５）のいずれかに記載のモジュール装置。
（７）上記複数のモジュールは、機械的に結合されており、
上記第１のモジュールは、自身の相対的位置情報を付加して、上記第２のモジュールに異常を通知する
前記（２）から（６）のいずれかに記載のモジュール装置。
（８）上記第２のモジュールは、上記異常の通知を受けたとき、位置情報の表示を伴う異常の表示を制御する
前記（７）に記載のモジュール装置。
（９）上記複数のモジュール、あるいは上記複数のモジュールと該複数のモジュールのいずれかに接続されて機能する従属モジュールは機械的に結合されており、
上記第１のモジュールの異常表示のための処理により、上記機械的に接合されたモジュール内の相対的な位置関係において特定位置にあるモジュールの表示器に異常表示が行われる
前記（１）から（８）のいずれかに記載のモジュール装置。
（１０）上記特定位置にあるモジュールは、複数の表示器を具備しており、
上記複数の表示器のうち特定の表示器に異常表示が行われる
前記（９）に記載のモジュール装置。
（１１）ＰｏＥで電力供給を受けるネットワークインタフェースを持つコンピュータを内蔵する複数のモジュールを備え、
上記複数のモジュールはネットワーク接続されており、
上記ネットワークを介して第１のモジュールから電力エラーメッセージを受信した第２のモジュールは、異常の表示を制御する
モジュール装置。
（１２）上記第２のモジュールは、表示器を有するモジュールであり、
上記第２のモジュールは、上記表示器に異常を表示するように制御する
前記（１１）に記載のモジュール装置。
（１３）上記第２のモジュールに接続されて機能する従属モジュールをさらに備え、
上記第２のモジュールは、上記従属モジュールの表示器に異常を表示するように制御する
前記（１１）に記載のモジュール装置。
（１４）上記第１のモジュールは、自身より高い優先順位のモジュールである第２のモジュールにエラー通知と応答を求めるメッセージを送信する
前記（１）から（１３）のいずれかに記載のモジュール装置。
（１５）上記第１のモジュールは、上記第２のモジュールから応答があるとき、全ての機能を停止する
前記（１４）に記載のモジュール装置。
（１６）上記第１のモジュールは、上記第２のモジュールから応答がないとき、自身で、または自身に接続されて機能する従属モジュールで異常表示をする
前記（１４）または（１５）に記載のモジュール装置。
（１７）上記優先順位は、上記複数のモジュール内におけるモジュールの種類による優先順位である
前記（１４）から（１６）のいずれかに記載のモジュール装置。
（１８）上記優先順位は、上記複数のモジュール内における相対的な位置関係による優先順位である
前記（１４）から（１６）のいずれかに記載のモジュール装置。
（１９）上記第１のモジュールは、上記ネットワークを介して上記第２のモジュールに異常を通知した後、
自身の位置が緊急稼働位置にあるときは少なくとも緊急稼働機能を機能させ、
自身の位置が緊急稼働位置にないときは全ての機能を停止する
前記（２）から（１８）のいずれかに記載のモジュール装置。
（２０）コントロール・パネルを有する放送用システムであって、
上記コントロール・パネルは、ＰｏＥで電力供給を受けるネットワークインタフェースを持つコンピュータを内蔵する複数のモジュールを備え、
上記複数のモジュールはネットワーク接続されており、
上記ネットワークから要求した電力の供給ができない旨の応答を受信した第１のモジュールは、異常表示を行うための処理をする
放送用システム。
【符号の説明】
【０１１６】
１０・・・放送用システム
１０１・・・ビデオ・ルータ
１０２・・・ビジョン・ミキサ
１０３・・・ビデオルータ・コンフィグレーション・パネル
１０４・・・パーソナル・コンピュータ
１０５・・・スイッチャ・コントロール・パネル
１０６・・・ネットワーク・スイッチ（スイッチング・ハブ）
１１０・・・ベース枠
１５１・・・モジュール
１５２・・・従属モジュール
１５３・・・押ボタン
１５４・・・表示器
１５５・・・タッチパネル型操作部
１５６・・・電源ライン
１６１・・・点灯式押ボタン
１６２・・・文字表示器
１６３・・・連結金具部
１６４・・・コネクタ部
１７１・・・ＣＰＵ
１７２・・・ＲＡＭ
１７３・・・ＲＯＭ
１７４・・・ストレージ
１７５・・・操作ボタン搭載回路
１７６・・・ＰｏＥ対応ネットワークインタフェース
【図１】
2017217284.tif 000003
【図２】
2017217284.tif 000004
【図３】
2017217284.tif 000005
【図４】
2017217284.tif 000006
【図５】
2017217284.tif 000007
【図６】
2017217284.tif 000008
【図７】
2017217284.tif 000009
【図８】
2017217284.tif 000010
【図９】
2017217284.tif 000011
【図１０】
2017217284.tif 000012
【図１１】
2017217284.tif 000013
【図１２】
2017217284.tif 000014
【図１３】
2017217284.tif 000015
【図１４】
2017217284.tif 000016
【図１５】
2017217284.tif 000017
【図１６】
2017217284.tif 000018
【図１７】
2017217284.tif 000019
【図１８】
2017217284.tif 000020
【図１９】
2017217284.tif 000021
【図２０】
2017217284.tif 000022
【図２１】
2017217284.tif 000023
【国際調査報告】
2017217284.tif 000024
2017217284.tif 000025
2017217284.tif 000026
2017217284.tif 000027